(57)【特許請求の範囲】
【請求項１】
中空の長尺の建材を長手方向と直交する方向に切断し、当該建材の切断面に収容して使用する屋外用照明装置であって、
筒状の半透明の材料で作製され、中央部に、前記建材の外形と同様の外形を有し、前記建材の外形より若干大きい第１の筒部が形成され、かつ中空部に光源が収容された照明ユニットと、
前記切断により分割された上部建材および下部建材にそれぞれ接続される第１および第２の金具、ならびに当該第１および第２の金具を連結する第３の金具で構成され、前記下部建材に上部建材を固定する固定用金具と、を備えたことを特徴とする屋外用照明装置。
【請求項２】
前記照明ユニットの第１の筒部の上部には、外形の寸法が前記上部建材の内側の寸法より小さい第２の筒部が形成され、
前記照明ユニットの第１の筒部の下部には、外形の寸法が前記下部建材の内側の寸法より小さい第３の筒部が形成された、請求項１に記載の屋外用照明装置。
【請求項３】
前記第３の筒部の内側には、前記光源を構成するＬＥＤチップが搭載された基板が取り付けられる複数のネジ受け部が形成され、
前記第２の筒部の内側には、前記ＬＥＤチップから放射された光を反射して前記第１の筒部の側面に導く傾斜部が形成されている、請求項２に記載の屋外用照明装置。
【請求項４】
前記建材として四角柱状の建材が用いられ、前記第１の筒部の外形は、当該建材に対応した四角形状に形成されている、請求項１ないし３のいずれかに記載の屋外用照明装置。
【請求項５】
前記第１および第２の金具は、金属板の対向する辺を直角に折り曲げて作製され、当該折り曲げられた一対の接続板には、それぞれ少なくとも１つの雌ネジが形成されている、請求項１ないし４のいずれかに記載の屋外用照明装置。
【請求項６】
前記第３の金具は筒状の金属で作製され、一方の端部が溶接により前記第１の金具の中心部に取り付けられ、かつ他方の端部に溶接によりフランジが取り付けられ、当該フランジには、前記第３の金具を前記第２の金具と接続するための複数の雌ネジが形成されている、請求項１ないし５のいずれかに記載の屋外用照明装置。
【請求項７】
前記第１の金具のうち前記第３の金具が接続された箇所、および前記第２の金具のうち前記第３の金具が接続される箇所には、前記第３の金具の中空部に連通する孔が形成されている、請求項６に記載の屋外用照明装置。
【発明の詳細な説明】
【技術分野】
【０００１】
本発明は、フェンス用の建材等に組み込んだ形で使用される屋外用の照明装置に関する。
【背景技術】
【０００２】
庭園や公園等では、敷地の境界を示したり、通路と庭とを隔てるために、直立した柱状の建材を等間隔に並べてフェンスとして使用する場合がある。そしてこのようなフェンスは、夜間、フェンスの付近に設置された照明装置により照明される。
【０００３】
これに対し、上述した柱状の建材自身を照明装置として使用することにより、庭園の華やかさを高めたいとの要望がある。具体的には、柱状の建材からスリット状の光を周囲に放射して、足元を照らすと共に、照明による空間演出の一助としている。
【０００４】
フェンスを構成する柱状の建材を照明装置として用いる方法として、例えば、特許文献１に記載されたような、柱状の照明装置の外観を、建材と同様の形状および模様に加工し、上部に取り付けられたキャップからスリット状の光を放射することが考えられる。
【先行技術文献】
【特許文献】
【０００５】
【特許文献１】特開２０１１−９０９２１号公報
【発明の概要】
【発明が解決しようとする課題】
【０００６】
しかし、外観が建材と同様の形状および模様に加工された照明装置は市販されていないため、フェンス専用の照明装置として作製する必要があり、市販の照明装置を使用する場合に比べてコストアップの原因となる。
【０００７】
更に、フェンスとして使用する建材は、一定以上の強度を必要とするが、特許文献１記載の照明装置は、筐体にキャップを被せた形状であるため、必要とする強度を確保できない。逆に、必要とする強度を確保しようとすると、キャップの材質そのものから見直す必要が生じる。
【０００８】
更に、スリットの位置を変えようとすると、それに応じて設計を変更する必要が生じ、材質の見直しと同様に、照明装置のコストアップの原因となる。
【０００９】
本発明は上述の問題点に鑑みてなされたもので、コストアップの原因となる、外観が建材と似た柱状の照明装置を用意する必要がなく、しかもフェンスの建材に求められる強度を十分確保できる屋外用照明装置を提供することを目的とする。
【課題を解決するための手段】
【００１０】
上記目的を達成するため、本発明にかかる屋外用照明装置は、中空の長尺の建材を長手方向と直交する方向に切断し、当該建材の切断面に収容して使用する屋外用照明装置であって、
筒状の半透明の材料で作製され、中央部に、前記建材の外形と同様の外形を有し、前記建材の外形より若干大きい第１の筒部が形成され、かつ中空部に光源が収容された照明ユニットと、
前記切断により分割された上部建材および下部建材にそれぞれ接続される第１および第２の金具、ならびに当該第１および第２の金具を連結する第３の金具で構成され、前記下部建材に上部建材を固定する固定用金具と、を備えたことを特徴とする。
【００１１】
ここで、前記照明ユニットの第１の筒部の上部には、外形の寸法が前記上部建材の内側の寸法より小さい第２の筒部が形成され、前記照明ユニットの第１の筒部の下部には、外形の寸法が前記下部建材の内側の寸法より小さい第３の筒部が形成されていることが好ましい。
【００１２】
また前記第３の筒部の内側には、前記光源を構成するＬＥＤチップが搭載された基板が取り付けられる複数のネジ受け部が形成され、前記第２の筒部の内側には、前記ＬＥＤチップから放射された光を反射して前記第１の筒部の側面に導く傾斜部が形成されていることが好ましい。
【００１３】
なお、前記建材として四角柱状の建材が用いられ、前記第１の筒部の外形は、当該建材に対応した四角形状に形成されていてもよい。
【００１４】
一方、前記第１および第２の金具は、金属板の対向する辺を直角に折り曲げて作製され、当該折り曲げられた一対の接続板には、それぞれ少なくとも１つの雌ネジが形成されていることが好ましい。
【００１５】
また前記第３の金具は筒状の金属で作製され、一方の端部が溶接により前記第１の金具の中心部に取り付けられ、かつ他方の端部に溶接によりフランジが取り付けられ、当該フランジには、前記第３の金具を前記第２の金具と接続するための複数の雌ネジが形成されていることが好ましい。
【００１６】
また前記第１の金具のうち前記第３の金具が接続された箇所、および前記第２の金具のうち前記第３の金具が接続される箇所には、前記第３の金具の中空部に連通する孔が形成されていることが好ましい。
【発明の効果】
【００１７】
本発明にかかる屋外用照明装置は、市販の比較的安価な建材に組み込むことができ、また簡単な冶具を用いて、専門の業者に依頼することなく設置できるため、設置費用のコストダウンを図ることができる。
【００１８】
更に、建材を切断する位置を変えることによって、照明ユニットの高さを自由に変えることができる。しかもフェンスとして必要な強度を確保でき、屋外用の照明器具として不可欠な防水性や対候性をも備えている。
【図面の簡単な説明】
【００１９】
【図１】本発明の実施の形態にかかる屋外用照明装置の正面図である。
【図２】同照明装置をフェンス用の建材に組み込んだ状態を示す斜視図である。
【図３】図１の照明装置をＡ−Ａ線で切断した断面図である。
【図４】図１の照明装置をＢ−Ｂ線で切断した断面図である。
【図５】図１の照明装置をＣ−Ｃ線で切断した断面図である。
【図６】図１の照明装置の展開図である。
【図７】本発明の実施の形態にかかる屋外用照明装置の組み立ての工程を示すフローチャートである。
【図８】図７のフローチャートにおける孔開け工程の説明図である。
【図９】本発明の実施の形態にかかる屋外用照明装置の使用形態を示す斜視図である。
【発明を実施するための形態】
【００２０】
以下、本発明の実施の形態にかかる屋外用照明装置について、図面を参照して説明する。
【００２１】
＜屋外用照明装置の構成＞
最初に、図１および図２を参照して、本実施の形態にかかる屋外用照明装置（以降、「照明装置」と略す）の主要構成部材と使用形態について説明する。図１は、本実施の形態にかかる照明装置１の正面図、図２は、同装置をフェンス用の建材に組み込んだ状態を示す斜視図である。
【００２２】
照明装置１は、アルムニウム合金や鉄で作製されたフェンス用の建材３０に組み込んだ形で用いられる。具体的には、図２に示すように、下部が地面５に埋め込まれた、断面が四角形の中空の長尺の建材３０のうち、地上部分の中間部を水平方向に切断し、その切断面に収容する形で用いられる。
【００２３】
図１に示すように、照明装置１は照明ユニット１０と固定用金具２０で構成されている。
照明ユニット１０は、アクリル等の半透明の樹脂で作製され、外形が建材３０（二点鎖線で示す）と同じ形状を有し、内部に光源であるＬＥＤモジュールが収容されている。
【００２４】
一方、固定用金具２０は、切断された上部建材３１と下部建材３２を機械的に接続するもので、錆に強いステンレス合金で作成され、上部建材３１に接続される第１の金具２１、下部建材３２に接続される第２の金具２２、ならびに第１および第２の金具２１、２２を連結する第３の金具２３で構成されている。
【００２５】
第１の金具２１は、雄ネジ２１１を用いて上部建材３１に固定され、第２の金具２２は、雄ネジ２２１を用いて下部建材３２に固定される。また、第１の金具２１の中心部には、第２の金具２２と連結する際に用いられる第３の金具２３が取り付けられ、更に、第２の金具２２の下部には、電力供給用のコードを支持する支持板２４が取り付けられている。                                                          
【００２６】
照明装置１は、図２に示した形態で庭園等の地面５に設置され、図示しないコードを介して商用電源から供給された電力によってＬＥＤチップが発光し、照明ユニット１０のスリット状の側面から放射された光によって庭園等が照射される。
【００２７】
次に、図３〜図６を参照して、照明ユニット１０および固定用金具２０の構成と機能を説明する。
【００２８】
図３は、図１の照明装置１をＡ−Ａ線で切断した断面図、図４は同じくＢ−Ｂ線で切断した断面図、図５は同じくＣ−Ｃ線で切断した断面図、図６は、図１の照明装置１の展開図である。
【００２９】
最初に、照明ユニット１０について説明する。照明ユニット１０は、半透明の樹脂を射出成形して作製されており、中央部に、建材３０の外形と同様の外形を有し、かつ建材３０より若干大きい寸法の第１の角筒部１１が形成されている。また第１の角筒部１１の上下両端部には、平坦部１１１および１１２が形成されている（図６参照）。
【００３０】
第１の角筒部１１の上部には、外形の寸法が上部建材３１の内側の寸法より小さく、かつ対応する面に一対の突起１２１が形成された第２の角筒部１２が形成されている。一対の突起１２１は、第１の金具２１に対する位置を規制するために設けられている（図３参照）。位置規制については、固定用金具２０を説明する際に併せて説明する。
【００３１】
一方、第１の角筒部１１の下部には、外形の寸法が下部建材３２の内側の寸法より小さい円筒部１３が形成されている。円筒部１３の内側にはネジ受け部が２段にわたって形成されており、それぞれの中心部に雌ネジが形成されている。
【００３２】
上段に設けられた３個のネジ受け部１３１（図４参照）には、雄ネジ１３２を螺合させることによって、円板状のＬＥＤモジュール４１が取り付けられる。また下段に設けられた２個のネジ受け部１３３（図５参照）には、雄ネジ１３４を螺合させることによって、半円状の駆動用モジュール４３が取り付けられる。
【００３３】
図６に示すように、円板状のＬＥＤモジュール４１の中心部には、固定用金具２０の第３の金具２３の下部に取り付けられたフランジ２３１を通すことができる四角形の開口部４１１が形成され、同様に、半円状の駆動用モジュール４３には、フランジ２３１を通す四角形の切欠４３１が形成されている。
【００３４】
ＬＥＤモジュール４１は、放熱性を考慮してアルミニウム製の基板で構成され、基板の上に３個のＬＥＤチップ４２が配線を介して取り付けられている。図３に示すように、ＬＥＤチップ４２から放出された光が第２の角筒部１２の下部に形成された傾斜部１４で反射された後、第１の角筒部１１の側面を通過し、その際に散乱され柔らかな光となって外部に放出される。
【００３５】
本実施の形態では、ＬＥＤモジュール４１として、放熱性に優れたアルミニウム基板に１２０度毎にＬＥＤチップ４２が３個配置されたモジュールを用いているが、ＬＥＤチップ４２の数は３個に限定されず、要求される光の強度に応じて増減できることは云うまでもない。
【００３６】
また本実施の形態では、発光素子としてＬＥＤチップを用いているが、発光素子は必ずしもＬＥＤに限定されない。ＬＥＤと同様の輝度と寿命を確保できるものであれば、他の発光素子を用いてもよい。
【００３７】
一方、駆動用モジュール４３はＬＥＤチップ４２を駆動するためのモジュールであり、プリント基板上に、駆動回路を構成するコンデンサ、抵抗等の電子部品４４が搭載されている。
【００３８】
図では一部のみ表示しているが、ＬＥＤモジュール４１と駆動用モジュール４３は一対のコード４５で接続されており、商用電源（図示せず）から供給された交流電力が、コード４５を介して駆動用モジュール４３に供給され、ここで直流に変換された後、ＬＥＤモジュール４１に供給される。
【００３９】
次に、固定用金具２０について説明する。図１に示すように、固定用金具２０は、上部建材３１に接続される第１の金具２１、下部建材３２に接続される第２の金具２２、および第１の金具２１と第２の金具２２とを連結する第３の金具２３で構成されている。
【００４０】
図６に示すように、第１の金具２１は、金属板の対向する辺が下方に直角に折り曲げられて接続板２１２が形成され、それぞれの接続板２１２に、２個の雌ネジ２１３が形成されている。一対の接続板２１２の間隔は、建材の内側の寸法より若干狭いため、第１の金具２１を上部建材３１の開口断面に挿入し、上部建材３１の側面に形成された孔を介して雄ネジ２１１を雌ネジ２１３に締結すると、第１の金具２１は上部建材３１にしっかりと固定される。
【００４１】
第１の金具２１と同様に、第２の金具２２の左右の側面にも接続板２２２と２個の雌ネジ２２３が形成されている。第２の金具２２を下部建材３２の開口断面に挿入し、下部建材３２の側面に形成された孔を介して雄ネジ２２１を雌ネジ２２３に締結すると、第２の金具２２は下部建材３２にしっかりと固定される。
【００４２】
図６に示すように、第１の金具２１の中心部には、溶接によって円筒状の第３の金具２３が取り付けられ、また第３の金具２３の下端には、溶接によって四角形状のフランジ２３１が取り付けられ、４つの角の近傍にはそれぞれ雌ネジ２３２が形成されている。
【００４３】
第２の金具２２の中心部の対向する位置に４つの孔が形成されており、その孔を介して下方から雄ネジ２３３を挿入し、フランジ２３１の雌ネジ２３２に締結すると、第３の金具２３を介して、第１の金具２１と第２の金具２２が一体化する（図３参照）。
【００４４】
その状態を図１および図３に示す。この状態では、第２の金具２２は、下端部が地中に埋設された下部建材３２に固定され、また第１の金具２１は、上部建材３１に固定され、更に、第２の金具２２と第１の金具２１は、円筒状の第３の金具２３を介して一体化されている。結果として、上部建材３１は、ステンレス製の固定用金具２０（第１〜第３の金具２１〜２３）を介して下部建材３２に強固に固定されているため、フェンス用の建材としての強度を保つことができる。
【００４５】
また図３および図６に示すように、第２の金具２２には、コード４５を通す孔が形成され、その孔にはゴム製のブッシュ２２５が取り付けられている。コード４５は、ブッシュ２２５の中心に形成された孔を通して下部建材３２の中空部に取り出される。
【００４６】
また第２の金具２２の下面に取り付けられた支持板２４には、コード４５がバラバラになるのを防ぐ係止用のリング２４１が取り付けられている。
【００４７】
更に、図３に示すように、第１の金具２１のうち第３の金具２３との接続箇所には孔が形成され、また第２の金具２２のうち第３の金具２３の中空部と対向する箇所にも孔が形成されている。第３の金具２３を構成する円筒の上下端部は開放されており、中空部には、電力供給用のコードが挿入される。
【００４８】
例えば、建材３０の頭頂部に照明装置が取り付けられている場合、下部建材３２の下端面から挿入されたコードを、第３の金具２３の中空部を通して頭頂部照明装置のコードに接続することにより、商用電源の電力を頭頂部照明装置に供給することができる。
【００４９】
＜照明装置の組み立て工程＞
次に、図７のフローチャートおよび上述した図１〜図６を参照して、本実施の形態にかかる照明装置１の組み立て工程について説明する。
【００５０】
本実施の形態にかかる照明装置を設置する際、最初に施工者は、庭園に設置予定の複数の柱状の建材３０のうち、どの建材のどの高さに照明装置１を取り付けるかを決定する（ステップＳ１）。
【００５１】
次に、施工者は、決定した建材３０のうち照明装置１を取り付ける位置の建材を切断し、更に、切断された上部建材３１および下部建材３２の切断面の近傍にネジ挿入用の孔を開ける（ステップＳ２）。
【００５２】
この際、図８に示すように、孔あけ用のガイド６０を用いると、必要な箇所に、正確かつ短時間で孔を開けることができる。
【００５３】
孔あけ用ガイド６０は、前部に、建材の幅より若干広い直方体状の空間６１が形成され、かつ後部にドリルを挿入する一対の孔６２が形成されている。ガイド６０を建材の切断面の一辺に掛けた状態で、孔６２にドリルを挿入して孔明け加工を行なうと、所定の位置に一対の孔が形成される。
【００５４】
なお、建材３０の切断位置に照明装置１をそのまま取り付けた場合、照明ユニット１０の第１の角筒部１１の高さだけ建材３０の高さが高くなるため、左右にある建材３０と高さを揃えたい場合には、その高さ分だけ上部建材３１または下部建材３２を切断する必要がある。
【００５５】
次に、施工者は、下部建材３２を庭園の予め定めた位置に固定すると共に、電力供給用のコードを設置する（ステップＳ３）。下部建材３２の固定方法として、地中に埋める方法やコンクリート・モルタルで固定する方法がある。同様に、コードの設置方法についても、下部建材３２の下端の開口から挿入したり、下部建材３２の地上部分に孔を開け、その孔から建材の中空部にコードを通す方法がある。いずれの方法を採用するかは、設置場所の状況に応じて決定される。
【００５６】
次に、施工者は、照明ユニット１０と固定用金具２０を組み立てて一体化する（ステップＳ４）。具体的には、照明ユニット１０のうち、傾斜部１４およびＬＥＤモジュール４１に形成された開口部１４１および４１１、更にＬＥＤ駆動モジュール４３の切欠４３１に第３の金具２３の先端を挿入する（図３参照）。その後、雄ネジ２３３を用いて、第２の金具２２を第３の金具２３のフランジ２３１に固定する。
【００５７】
この状態では、照明ユニット１０が第１の金具２１と第２の金具２２の間に挟まり、かつ照明ユニット１０に設けた位置規制用の突起１２１、１３５を第１の金具２１および第２の金具２２に形成した切欠２１４および２２４に係合させることにより、照明ユニット１０と固定用金具２０は一体化した状態に保持される。
【００５８】
次に、施工者は、照明ユニット１０の駆動用モジュール４３に接続された一対のコード４５と、図示しない商用電源に接続された一対のコードとを接続する（ステップＳ５）。接続する方法として、それぞれのコードの先端にコネクタを取り付け、コネクタ同士を接続するようにすれば、コード同士を簡単かつ確実に接続できる。
【００５９】
次に、施工者は、第２の金具２２を下部建材３２に取り付ける（ステップＳ６）。具体的には、下部建材３２の開口部に挿入された第２の金具２２の一対の接続板２２４に形成された４つの雌ネジ２２３に、下部建材３２に形成された孔を介して４本の雄ネジ２２１を螺合することにより、第２の金具２２を下部建材３２に固定する。
【００６０】
なお、ステップＳ６の工程において、照明ユニット１０の第１の角筒部１１の下端の平坦部１１２と下部建材３２の切断面との間にゴム製のスペーサを介在させた状態で固定すれば、切断面からの雨や湿気の浸入を防止できる。
【００６１】
次に、施工者は、第１の金具２１を上部建材３１に取り付ける（ステップＳ７）。具体的には、下部建材３２の開口部に、照明ユニット１０と共に設置された第１の金具２１の一対の接続板２１２に形成された４つの雌ネジ２１３に、建材に形成された孔を介して４本の雄ネジ２１１を螺合することにより、第１の金具２１を上部建材３１に固定する。
【００６２】
ステップＳ７の工程においても、ステップＳ６の工程と同様に、照明ユニット１０の第１の角筒部１１の上端部の平坦面１１１と上部建材３１の切断面との間にゴム製のスペーサを介在させた状態で固定すれば、切断面からの雨や湿気の浸入を防止できる。
【００６３】
図２に、上述の工程を経て照明装置１を建材３０に組み込んだ状態を示す。前述したように、上部建材３１は、固定用金具２０（第１〜第３の金具２１〜２３）により下部建材３２に強固に固定されているため、フェンス用の建材として必要な強度を確保できる。
【００６４】
図９は、門柱６に接するようにフェンス用の複数の建材３０を設置した状態を示す。建材３０のうち３本の建材に、本実施の形態にかかる照明装置１が組み込まれている。図９に示すように、本実施の形態にかかる照明装置１をフェンス用の建材の一部に組み込むことにより、別途照明装置を設置する必要がなくなり、更には、夜間における庭園の華やかさを高めることができる。
【００６５】
なお、図９に示した使用形態は一例であり、例えば、照明装置１を組み込んだ高さが異なる建材を並べたり、１本の建材に複数の照明装置を組み込むことにより、空間演出の効果を一層高めることができる。
【００６６】
また、本実施の形態では、角柱状の建材３０に照明装置１を組み込んだが、本発明はこれに限定されない。例えば、断面が円形もしくは多角形の建材に本発明の照明装置を組み込んでも同様の効果を得られる。
【符号の説明】
【００６７】
１  照明装置
１０  照明ユニット
１１、１２  角筒部
１３  円筒部
１４  傾斜部
２０  固定用金具
２１、２２、２３  金具
３０、３１、３２  建材
４１  ＬＥＤモジュール
４２  ＬＥＤチップ
４３  駆動用モジュール
４４  電子部品
４５  コード
１１１、１１２  平坦部
１２１  １３５  突起
１３１、１３３  ネジ受け部
１３２、１３４、２１１、２２１、２３３  雄ネジ
２１２、２２２  接続板
２１３、２２３、２３２  雌ネジ
２１４、２２４  切欠
２２５  ブッシュ
２３１  フランジ
【図１】
0006559458.tif 000002
【図２】
0006559458.tif 000003
【図３】
0006559458.tif 000004
【図４】
0006559458.tif 000005
【図５】
0006559458.tif 000006
【図６】
0006559458.tif 000007
【図７】
0006559458.tif 000008
【図８】
0006559458.tif 000009
【図９】
0006559458.tif 000010